(57)【要約】【課題】出来るだけ簡単な構造で、医療器具のコード及びチューブの何れか又は双方が体表から外れそうになるか又は外れたかを検出する検出ユニットを提供する。【解決手段】検出システム１０は、医療器具のコード及びチューブ３の何れか又は双方を装着する装着手段１１と、装着手段１１を有するセンサユニット１２と、を備え、センサユニット１２は、人物及び動物の何れかの体表４に取り付けられた磁気シート２０からの磁界を検出する磁気センサ１３と、磁気センサ１３からの検出信号の変化が所定の条件を満たすと又は所定の条件から外れると外部に信号を出力する通信手段１４と、を備える。【選択図】図２
2017159035.tif 000002
【特許請求の範囲】
【請求項１】
医療機器のコード及びチューブの何れか又は双方を装着する装着手段と、
人物及び動物の何れかの体表に取り付けられた磁気シートから生じる磁界を検出する磁気センサと、
前記磁気センサからの検出信号の変化が所定の条件を満たすと又は所定の条件から外れると外部に信号を出力する通信手段と、
を備える、検出システム。
【請求項２】
粘着シートをさらに備え、
前記磁気センサ及び前記通信手段がセンサユニットに設けられ、
前記粘着シートが、前記磁気シートの上又は上方に配置された前記センサユニットをカバーする、請求項１に記載の検出システム。
【請求項３】
前記センサユニットが前記装着手段を備え、
前記粘着シートが、前記医療機器のコード及びチューブの何れか又は双方を前記装着手段によって装着した前記センサユニットをカバーする、請求項２に記載の検出システム。
【請求項４】
前記磁気シートの上面に、前記粘着シートの前記体表からの剥がれに伴って前記体表から離脱するのを防止する防止手段を備える、請求項２又は３に記載の検出システム。
【請求項５】
前記磁気シートが、前記センサユニットに接触しかつ粘着しない表面層を備える、請求項２乃至４の何れかに記載の検出システム。
【請求項６】
前記磁気シートが、前記センサユニットにより覆われる面積を有する、請求項２乃至５の何れかに記載の検出システム。
【請求項７】
前記磁気センサが、前記磁気シートの上面に交差する方向の磁界を検出する素子を備える、請求項１乃至６の何れかに記載の検出システム。
【請求項８】
前記磁気センサが、前記磁気シートの上面に平行な方向の磁界を検出する素子を備える、請求項１乃至６の何れかに記載の検出システム。
【請求項９】
前記チューブが点滴チューブである、請求項１乃至８の何れかに記載の検出システム。
【請求項１０】
粘着層と、前記粘着層に設けられる永久磁石と、を備え、
前記永久磁石が、前記粘着層に交差する方向に磁界を発生させるか、又は前記粘着層に平行な方向に磁界を発生させ、
前記粘着層が、人物又は動物の体表に接する、磁気シート。
【請求項１１】
前記永久磁石は、一つ又は複数個配設される、請求項１０に記載の磁気シート。
【請求項１２】
粘着層と、前記粘着層に分散された磁性粉末と、を備え、
前記磁性粉末が、前記粘着層に交差する方向に磁界を発生させるか、又は前記粘着層に平行な方向に磁界を発生させ、
前記粘着層が、人物又は動物の体表に接する、磁気シート。
【請求項１３】
前記粘着層のうち人物又は動物の体表に接しない側には、他の物体に付着してもその物体と共に剥がれないよう防止手段を備える、請求項１０乃至１２に記載の磁気シート。
【請求項１４】
請求項１乃至９の何れかに記載の検出システムにおける前記磁気シートが、請求項１０乃至１３の何れかに記載の磁気シートである、検出システム。
【発明の詳細な説明】
【技術分野】
【０００１】
本発明は、医療器具のコード及びチューブの何れか又は双方が体表から外されたか否かを検出する検出システムとそれに用いられる磁気シートに関する。
【背景技術】
【０００２】
医療器具として例えば透析治療等のために注射針を用いるが、人体の腕、脚の血管に刺した注射針の脱落を検知するために磁石と磁気センサを用いて、固定具の腕からの剥がれを検出することが考えられている（例えば、特許文献１）。
【０００３】
特許文献１では、先端に注射針を取り付けたチューブを保持する変位磁石支持ユニットが開示されており、その変位磁石支持ユニットは、チューブに沿った方向に長手方向を合わせた箱型形状のケーシングを備え、そのケーシングは長手方向に開放スリットを有する天井部を備え、ケーシング内には、底面より順に、鉄板と、露出回路接点の検知部を設けた検出回路基板と、複数の微小磁石要素を垂直方向に摺動自在に保持した磁石要素保持体、開放スリットに沿って摺動自在に設けられた変位磁石ユニットが備えられている。ケーシングの上部にはチューブを支持するための支持部を備え、チューブが変位すると、磁石保持体と変位磁石ユニットとの位置がずれ、検知部によりそのずれが検知される。
【先行技術文献】
【特許文献】
【０００４】
【特許文献１】特開２０１０−６３６５５号公報（段落００３０，００３１）
【発明の概要】
【発明が解決しようとする課題】
【０００５】
特許文献１に開示されている変位磁石支持ユニットのように、磁石と磁気センサとが一つのケーシング内に設けられている場合には、磁石と磁気センサとが同時に外れた場合には、注射針の脱落を検知することが難しい。また、変位磁石支持ユニットは構造的にも複雑であり、忙しい看護師が対応することも難しい。
【０００６】
そこで、本発明は、出来るだけ簡単な構造で、医療器具のコード及びチューブの何れか又は双方が体表から外れそうになるか又は外れたかを検出することができる検出システムとそれに用いられる磁気シートを提供することを目的とする。
【課題を解決するための手段】
【０００７】
本発明のコンセプトは以下のとおりである。
［１］  医療機器のコード及びチューブの何れか又は双方を装着する装着手段と、
人物及び動物の何れかの体表に取り付けられた磁気シートから生じる磁界を検出する磁気センサと、
前記磁気センサからの検出信号の変化が所定の条件を満たすと又は所定の条件から外れると外部に信号を出力する通信手段と、
を備える、検出システム。
［２］  粘着シートをさらに備え、
前記磁気センサ及び前記通信手段がセンサユニットに設けられ、
前記粘着シートが、前記磁気シートの上又は上方に配置された前記センサユニットをカバーする、前記［１］に記載の検出システム。
［３］  前記センサユニットが前記装着手段を備え、
前記粘着シートが、前記医療機器のコード及びチューブの何れか又は双方を前記装着手段によって装着した前記センサユニットをカバーする、前記［２］に記載の検出システム。
［４］  前記磁気シートの上面に、前記粘着シートの前記体表からの剥がれに伴って前記体表から離脱するのを防止する防止手段を備える、前記［２］又は［３］に記載の検出システム。
［５］  前記磁気シートが、前記センサユニットに接触しかつ粘着しない表面層を備える、前記［２］乃至［４］の何れかに記載の検出システム。
［６］  前記磁気シートが、前記センサユニットにより覆われる面積を有する、前記［２］乃至［５］の何れかに記載の検出システム。
［７］  前記磁気センサが、前記磁気シートの上面に交差する方向の磁界を検出する素子を備える、前記［１］乃至［６］の何れかに記載の検出システム。
［８］  前記磁気センサが、前記磁気シートの上面に平行な方向の磁界を検出する素子を備える、前記［１］乃至［６］の何れかに記載の検出システム。
［９］  前記チューブが点滴チューブである、前記［１］乃至［８］の何れかに記載の検出システム。
［１０］  粘着層と、前記粘着層に設けられる永久磁石と、を備え、
前記永久磁石が、前記粘着層に交差する方向に磁界を発生させるか、又は前記粘着層に平行な方向に磁界を発生させ、
前記粘着層が、人物又は動物の体表に接する、磁気シート。
［１１］  前記永久磁石を、一つ又は複数個備える、前記［１０］に記載の磁気シート。
［１２］  粘着層と、前記粘着層に分散された磁性粉末と、を備え、
前記磁性粉末が、前記粘着層に交差する方向に磁界を発生させるか、又は前記粘着層に平行な方向に磁界を発生させ、
前記粘着層が、人物又は動物の体表に接する、磁気シート。
［１３］  前記粘着層のうち人物又は動物の体表に接しない側には、他の物体に付着してもその物体と共に剥がれないよう防止手段を備える、前記［１０］乃至［１２］の何れかに記載の磁気シート。
［１４］  前記［１］乃至［９］の何れかに記載の検出システムにおける前記磁気シートが、前記［１０］乃至［１３］に記載の磁気シートである、検出システム。
【発明の効果】
【０００８】
本発明によれば、検出システムが磁気センサと通信手段とを備え、磁気センサが人物及び動物の何れかの体表に取り付けられた磁気シートからの磁界を検出する。医療器具のコード又はチューブの何れか又は双方を装着したセンサユニットや粘着シートが外れそうになる又は外されると、磁気シートからの磁界を磁気センサが検知し難くなる。よって、医療器具のコード又はチューブの何れか又は双方が外れそうになる又は外れたかを検知することができる。従って、出来るだけ簡単な構造で、磁気シート上に磁気センサを正確に位置決めする必要がなく、医療器具のコード又はチューブの何れか又は双方が体表から外れそうになるか又は外れたかを検出することができる検出システムが提供される。また、磁気シートについては、複数の永久磁石を粘着層に配置するか、又は磁性粉末を粘着層に設けて磁界の向きを調整するという単純な構成で、検出システムと共に利用することができる。
【図面の簡単な説明】
【０００９】
【図１】本発明の実施形態に係る検出システムを示す図である。
【図２】図１のＩＩ線-ＩＩ線に沿う断面図である。
【図３】図１のＩＩＩ線-ＩＩＩ線に沿う断面図である。
【図４】図１に示す装着手段及びハウジングを示す斜視図である。
【図５】図１に示す検出システムにおける磁気シートを示し、（Ａ）は断面図、（Ｂ）は平面図である。
【図６】図５とは異なる構造の磁気シートを示し、（Ａ）は断面図、（Ｂ）は平面図である。
【図７】図５及び図６とは異なる構造の磁気シートを示し、（Ａ）は断面図、（Ｂ）は平面図である。
【図８】本発明の実施形態に係る検出方法を説明するための模式図である。
【図９】図８とは異なる検出方法を説明するための模式図であり、（Ａ）はずれる前の状態を、（Ｂ）はずれた後の状態を示している。
【図１０】実施例の検出システムのブロック図である。
【発明を実施するための形態】
【００１０】
以下、本発明を実施するための形態について詳細に説明するが、本発明の実施形態に係る検出システムは、図面を参照して説明するものに限られることなく、ＩＣＴ（Information Communication Technology）に関する技術進歩や、適用される社会や制度に応じて適宜変更されるものも含まれる。
【００１１】
（検出システム）
図１は本発明の実施形態に係る検出システムを示す図である。図１では、患者の腕１に注射針２が刺された場合を想定して示している。図２は図１のＩＩ線-ＩＩ線に沿う断面図であり、図３は図１のＩＩＩ線-ＩＩＩ線に沿う断面図である。
【００１２】
実施形態に係る検出システム１０は、医療器具のコード及びチューブ３の何れか又は双方を装着する装着手段１１と、磁界を検出する磁気センサ１３と、通信手段１４と、を備える。図１に示す形態では、検出システム１０はセンサユニット１２を備え、センサユニット１２が磁気センサ１３と通信手段１４とハウジング１５を備える。
【００１３】
図４は、図１に示す装着手段１１及びハウジング１５を模式的に示す斜視図である。図４では、図１とは異なり上下逆に示している。ハウジング１５は、その底部１５ａに装着手段１１を備える。ハウジング１５の底部１５ａは磁気シート２０の表面に接触し得る。ハウジング１５の底部１５ａが長手方向に沿って溝１１ａを備えることによって、装着手段１１としての溝１１ａが設けられている。図４に示すように、溝１１ａの側部は、溝幅が広い幅広部１１ｂと、溝幅が狭い幅狭部１１ｃと、溝幅が広い幅広部１１ｄとを、高さ方向に順に設けている。幅広部１１ｂが挿入口及び取出口となり、幅広部１１ｄがチューブ又はコードの収容部となり、幅狭部１１ｃが幅広部１１ｄからのチューブ又はコードの取り外れを防止している。なお、コード又はチューブ３の本数に応じて溝１１ａの本数が設定され、コード又はチューブ３の種類に応じて溝１１ａの形状や寸法が設定される。
【００１４】
装着手段１１としての溝１１ａは、その側面の上下中間部分を狭くすることにより、コード又はチューブ３を装着し易くすると共に抜け難くする。装着手段１１は、溝１１ａの幅を調節したり、または溝１１ａの表面をゴム等の摩擦係数の大きい素材で構成したりすることにより、コード又はチューブ３が溝１１ａに沿って動くことを防ぐことができる。コード又はチューブ３が溝１１ａの長手方向に沿って押し込まれることにより、コード又はチューブ３が溝１１ａに装着される。
【００１５】
磁気センサ１３は、人物及び動物の何れかの体表に取り付けられた磁気シート２０からの磁界を検出する。磁気センサ１３は、ホール素子、磁気抵抗効果素子などを備える。磁気シート２０には、シート面に平行な方向に磁界が生じるように又はシート面に交差する、好ましくは略直交する方向に磁界が生じるように、磁石などが配置されている。磁気センサ１３は、磁気シート２０の上方に配置されることから、磁気シート２０からの磁界を精度よく受ける。磁気シート２０の上方に磁気センサ１３を配置するという極めて単純な手法により、磁石と磁気センサ１３との位置関係を厳密に設定する必要なくセッティングができる。
【００１６】
ここで、磁気センサ１３は、磁気シート２０の上面に交差する方向、好ましくはほぼ直交する方向の磁界を検出する素子、磁気シート２０の上面に平行な方向の磁界を検出する素子の何れか又は双方を備えることが好ましい。これにより、磁気センサ１３が磁気シート２０からの磁界の大きさ及び向きの少なくとも何れか一方を検出し、検出信号として通信手段１４に出力することができる。
【００１７】
通信手段１４は、磁気センサ１３からの検出信号の変化を求め、その変化が所定の条件を満たすと又は所定の条件から外れると、外部に信号を出力する。ここで、「所定の条件を満たす」とは、磁気センサ１３の下に磁気シート２０が存在する場合に磁気センサ１３が受ける磁界の向きと比べて磁界の向きが一定以上変化、例えばＳ極からＮ極への変化を２回繰り返したり、磁気センサ１３の下に磁気シート２０が存在する場合において磁気センサ１３が受ける磁界の大きさと比べて磁界の大きさが一定の範囲よりも大きく減少、例えば３０％減少したりすることである。「所定の条件から外れる」とは、「所定の条件を満たす」こととは逆である。ここでいう磁界の向きの変化や磁界の大きさの変化は、磁気センサ１３の下側に磁気シート２０が存在する場合に、磁気センサ１３が受ける磁界の大きさ又は向き（角度）に対する差分、比の何れか又は双方で求めてもよい。磁気シート２０による磁界の向き又は大きさの差分や比に基いて磁気センサ１３の感度を調整しておけばよく、また通信手段１４において、検出信号の大きさと標準値との差分又は比を求め、差分が閾値を超えていれば、外部に検出したことを信号として出力してもよい。
【００１８】
このような検出システム１０においては、一人の患者にコード又はチューブ３を装着したセンサユニット１２が複数装着されることから、また病室や治療室等では複数の患者がいることから、通信手段１４は、センサユニット１２の識別番号としてＩＤ（identification）番号を付加し、外部に信号を出力することが好ましい。
【００１９】
本発明の実施形態では、センサユニット１２が磁気センサ１３と通信手段１４とを備え、磁気センサ１３が人物及び動物の何れかの体表に取り付けられた磁気シート２０からの磁界を検出するため、磁気シート２０上にセンサユニット１２を設置すればよく、コード又はチューブ３を装着したセンサユニット１２が外されると磁気シート２０からの磁界を磁気センサ１３が検知し難くなるため、コード又はチューブ３が外されたことを検知することができる。従って、出来るだけ簡単な構造で、医療器具のコード又はチューブ３が体表から外されたか否かを検出することができる。なお、磁気センサ１３と通信手段１４とは図示しない基板に装着され、バッテリー等を内蔵した磁気リーダタグとして構成されてもよい。
【００２０】
さらに好ましい形態について説明する。磁気シート２０は、その上面に、粘着シート１６の体表４からの剥がれに伴って、体表４から離脱しないようこの剥がれを防止する防止手段を備える。防止手段として、磁気シート２０が、センサユニット１２に接触しかつ粘着しない表面層を備える。表面層は、磁気シート２０のセンサユニット１２側の面を接着し難い材料でコーティングすることで形成される。例えば、フッ素によるコーティング加工が挙げられる。そのほか、磁気シート２０のセンサユニット１２側の面にエンボス加工して凹凸を付け、磁気シート２０のセンサユニット１２側の接触面積を小さくしてもよい。磁気シート２０は、センサユニット１２により覆われる底面積を有してもよい。図１に示すように、センサユニット１２は、ｘ方向にもｙ方向にも磁気シート２０を覆う底面積を有することが好ましい。患者等が医療器具のコード又はチューブ３を無意識のうちに外そうとする場合があるが、磁気シート２０がセンサユニット１２によって覆われている場合には、センサユニット１２だけを外すことになる。この場合、後述するように磁気シート２０とセンサユニット１２との間には何ら存在しないので、磁気シート２０は体表４に貼り付けられたままである。
【００２１】
前述では、磁気シート２０は、その上面に、粘着シート１６の体表４からの剥がれに伴って、体表４から離脱しないよう防止手段を備えるようにしたが、別に、センサユニット１２の底面に磁気シート２０に接触しかつ粘着しない表面層を備える。その表面層は、センサユニット１２の磁気シート２０側の面を接着し難い材料でコーティングすることで形成される。例えば、フッ素によるコーティング加工が挙げられる。そのほか、センサユニット１２の磁気シート２０側の面にエンボス加工して凹凸を付け、センサユニット１２の磁気シート２０側の接触面積を小さくしてもよい。
【００２２】
検出システム１０は粘着シート１６を備える。粘着シート１６は、磁気シート２０の上又は上方に配置されたセンサユニット１２をカバーする。このとき、センサユニット１２は、医療器具のコード及びチューブ３の何れか又は双方を装着している。この粘着シート１６によって、センサユニット１２を体表４に固定することができる。
【００２３】
（磁気シート）
次に、磁気シート２０について説明する。図５は磁気シートを示し、（Ａ）は断面図、（Ｂ）は平面図である。磁気シート２０は、面状のベース２１と、ベース２１上に複数の永久磁石２２と、粘着層２３とを備える。ベース２１の一方の面２１ａには粘着層２３が設けられ、他方の面２１ｂには何も設けられない。なお、前述のように、一方の面２１ｂには、接着し難い材料でコーティングされることが好ましい。例えば、フッ素によるコーティング加工が挙げられる。そのほか、一方の面２１ｂには図示しない凹凸を付け、接触面積を小さくしてもよい。これらの何れかを採用することにより、他方のベース２１ｂにはセンサユニット１２が接触し、センサユニット１２が磁気シート２０から離脱自在とする。また、粘着層２３の体表に接する面が粘着層２３となるように、粘着層２３の厚みが設定される。こうして、永久磁石２２が体表に直接触れることがないようにできる。
【００２４】
複数の永久磁石２２は、粘着層２３に平行な方向に磁界を発生させるように、一方の面２１ａ上に配置される。その際、隣り合う永久磁石２２同士の磁界の向きが逆向きとなるように配置する。例えば、列方向に沿った複数の永久磁石で構成する或る行において、一方の面２１ａ側の極が、Ｓ極、Ｎ極、Ｓ極となるように配置する。その隣の行において、一方の面２１ａ側の極が、Ｎ極、Ｓ極、Ｎ極となるように配置する。永久磁石２２の列数、行数は任意に設定される。図５（Ｂ）において黒丸が例えばＮ極を示し、白丸がＳ極を示す。
【００２５】
粘着層２３は、複数の永久磁石２２同士の間に配置されて複数の永久磁石２２による凹凸を吸収すると共に、体表４への磁気シート２０を粘着するために設けられる。
【００２６】
このような磁気シート２０であれば、隣り合う永久磁石同士での磁界の向きが設定され、磁気センサ１３にて磁界の強度の変化だけでなく向きの変化を容易に精度良く検出することができ、センサユニット１２の外れだけでなくずれを容易に検出できる。例えば、前述したように、Ｓ極からＮ極への変化を二回繰り返す又は磁界の強度が３０％減少するという条件を満たせば、通信手段１４から外部に信号を出力することができる。
【００２７】
図６は、図５とは異なる構造の磁気シートを示しており、（Ａ）は断面図、（Ｂ）は平面図である。
図６に示す磁気シート２０Ａが、図５に示す磁気シート２０と異なるのは、永久磁石２２の数を一つとした点であり、他の構成は、磁気シート２０と同様である。
【００２８】
永久磁石２２の磁力は、センサユニット１２が永久磁石２２から一定の距離離れても磁気センサ１３が所定以上の磁力を検知できる値とすればよい。距離としては、０．５〜１０ｃｍ程度とすればよい。さらに好ましくは、１〜数ｃｍ程度の距離とし得る。数ｃｍとは、例えば３〜７ｃｍである。
【００２９】
図７は、図５及び図６とは異なる磁気シートを示し、（Ａ）は断面図、（Ｂ）は平面図である。磁気シート２０Ｂは、粘着層２５と、粘着層２５に分散された磁性粉末２６と、を備え、粘着層２５の面に対して交差する方向に磁界を発生させている。平面視において、磁気シート２０Ｂを、縦横の格子状に区分けした際、隣り合う領域同士の磁界Ｈの向きが逆向きとなるように配置する。例えば、列方向に沿った複数の領域を構成する或る行において、一方の面側の極が、Ｓ極、Ｎ極、Ｓ極となるようにする。その隣の行において、一方の面側の極が、Ｎ極、Ｓ極、Ｎ極となるようにする。
【００３０】
粘着層２５は、磁性粉末２６を保持すると共に、体表４への磁気シート２０Ｂを粘着するために設けられる。
【００３１】
このような磁気シート２０，２０Ａ，２０Ｂであれば、隣り合う領域同士での磁界の向きが設定され、磁気センサ１３にて磁界の強度の変化だけでなく向きの変化を容易に精度良く検出することができ、センサユニット１２の外れだけでなくずれを容易に検出できる。例えば、前述したように、Ｓ極からＮ極への変化を二回繰り返す又は磁界の強度が３０％減少するという条件を満たせば、通信手段１４から外部に信号を出力することができる。
【００３２】
なお、磁気シート２０，２０Ａ，２０Ｂは、磁気シート２０，２０Ａ，２０Ｂに対して平行な磁界を生じるようにする形態のみならず、磁気シート２０，２０Ａ，２０Ｂに対して垂直に磁界を生じるようにする形態であってもよい。この形態では、隣り合う永久磁石２２がベース側で同極となるように永久磁石２２を配置する。又は、隣り合う領域が何れかの面側で同極となるように磁化させればよい。
【００３３】
磁気シート２０，２０Ａ，２０Ｂにおいて、粘着層２５のうち人物又は動物の体表に接しない側には、他の物体に付着してもその物体と共に剥がれないよう防止手段を備えるとよい。ここで、他の物体としては、センサユニット１２が挙げられる。防止手段には、前述したように、磁気シート２０，２０Ａ，２０Ｂのセンサユニット１２側の面を接着し難い材料でコーティングすることで形成される。例えば、フッ素によるコーティング加工が挙げられる。そのほか、磁気シート２０，２０Ａ，２０Ｂのセンサユニット１２側の面にエンボス加工して凹凸を付け、磁気シート２０，２０Ａ，２０Ｂのセンサユニット１２側の接触面積を小さくしてもよい。磁気シート２０，２０Ａ，２０Ｂが、センサユニット１２により覆われる底面積を有してもよい。
【００３４】
（検出方法）
次に、検出ユニット１０を用いて医療器具のコード及びチューブ２の何れか又は双方が体表４側から外れたことを検出する方法について説明する。
【００３５】
図８は、検出方法の一例を模式的に示す図である。体表４上に永久磁石２２が並んで配置されており、体表４側、センサユニット１２側でそれぞれ隣り合う永久磁石２２が同極となる場合を示している。
【００３６】
図８に示す形態では、センサユニット１２が何らかの原因で体表４側から外れ、実線から一点鎖線に示すようになる場合、縦方向に延びる磁界が減ることから、磁気センサ１３が縦方向の磁力を検知するように設定しておけばよい。
【００３７】
図９は、検出方法の別の例を模式的に示す図であり、（Ａ）はセンサユニット１２がずれる前の状態を、（Ｂ）はずれた後の状態を示している。体表４上に永久磁石２２が並んで配置されており、体表４側、センサユニット１２側でそれぞれ隣り合う永久磁石２２が異極となる場合を示している。
【００３８】
図９に示す形態では、センサユニット１２が何らかの原因で、実線の状態から体表４に沿ってΔｘだけずれて一点鎖線の状態になると、センサユニット１２の各位置での体表４に沿った磁界の向きが変わることから、磁気センサ１３が横方向の磁界を検知するように設定しておけばよい。磁気センサ１３が、例えば図９に示すように横向きでも特に右向きの方向の磁界を検知するように設定されている場合、図９（Ａ）のずれる前では時計回りに９０度回転するが、図９（Ｂ）のずれた後ではさらに１８０度回転する。よって、磁気センサ１３の検出量が異なり、ずれを検知することができる。
【００３９】
特に、図９に示す形態では、単にセンサユニット１２に装着した医療器具のコード又はチューブ３が体表４に沿ってずれてしまう場合に、効率的にそのずれを検知することができる。
【００４０】
なお、磁気シート２０，２０Ａが永久磁石２２及び粘着層２３を備える場合には、永久磁石２２のサイズは直径１〜３ｍｍ程度、永久磁石２２同士の間隔は２〜３ｍｍ程度がよい。一つ又は複数の永久磁石２２を備えることにより、磁気シート２２，２０Ａに対する磁気センサ１３の位置を精密にする必要がなく、医療器具のコード又はチューブ３の外れやずれを簡易に検出することができる。以下、実施例を詳細に説明する。
【実施例】
【００４１】
実施例の検出システム１０Ａについて説明する。図１０は、実施例の検出システム１０Ａのブロック図である。
図１０に示すように、検出システム１０Ａは、図１に示す検出システム１０と、検出システム１０中の通信手段１４を介して接続されるセンサ管理ノード３２と、監視用端末３４とから構成されている。
【００４２】
センサ管理ノード３２は、有線回線や無線回線を用いた第１の通信回線３６を介して通信手段１４に接続される。第１の通信回線３６としては、近距離用の無線ＬＡＮ等を使用することができる。これにより、センサユニット１２の情報は、センサ管理ノード３２に伝送される。センサ管理ノード３２としては、パーソナルコンピュータ、タブレット、携帯電話（スマートフォン）等を用いることができる。
【００４３】
センサユニット１２を管理するセンサ管理ノード３２では、センサユニット１２の検知する磁力を表示し、センサユニット１２を磁気シート２０，２０Ａ，２０Ｂ上で動かし、センサ管理ノード３２が表示する磁力が所定の値以上になった箇所で、センサユニット１２を医療用テープ等の粘着テープ１６により患者の腕に固定することができる。これにより、センサユニット１２を患者の腕に適切に固定することができる。
【００４４】
センサユニット１２が検知する磁力が閾値である磁力を下回った場合に、センサ管理ノード３４は、患者の腕からコードやチューブが外れた、例えば点滴セットが外れたと判断し、外部に点滴セットが外れたことを、後述する伝送メッセージ３２ｄとして外部の監視用端末３４に発報する。
【００４５】
図１０に示すように、センサ管理ノード３２のディスプレイ３２ａには、センサユニット１２の名前又は識別番号（ＩＤ）３２ｂ、磁気強度３２ｃ、閾値の判定値３２ｄ、伝送メッセージ３２ｅが表示される。
【００４６】
センサ管理ノード３２からの伝送メッセージ３２ｅは、有線回線や無線回線を用いた第２の通信回線３８を介してインターネット等に接続されて、監視用端末３４に送信される。監視用端末３４は、例えばインターネットに接続可能な端末であり、例えば患者を担当している看護士が常に携帯している携帯電話、例えばスマートフォンである。これにより、患者を担当している看護士がセンサ管理ノード３２から離れた場所にいる場合であっても、直ちに監視用端末３４のディスプレイ３４ａにセンサ管理ノード３２からの伝送メッセージ３２ｅが、伝送メッセージ３４ｅとして表示される。
【００４７】
これにより、看護士は患者の点滴が外れたことを知り、患者の腕に再び点滴をセットすることが可能となり、患者の点滴の中断を速やかに防止することができる。
【００４８】
本発明は上述した実施形態に限定されることなく、適宜変更したものも含まれる。例えば、磁気シートが、縦方向の磁界、横方向の磁界の何れかを主として生じさせるだけではなく、縦方向の磁界を主として生成する領域と横方向の磁界を主として生成する領域とが磁気シートに設定されていてもよい。また、磁気センサの検知する磁界の向きも、縦方向の磁界を検知するセンサと横方向の磁界を検知するセンサとを備えるようにしてもよい。使用に当たっては、磁気シートにより生成される磁界と磁気センサにより検知される磁界とが対応するようにする。これにより、より精度の高い検出システムを提供することができる。
【符号の説明】
【００４９】
１：患者の腕
２：注射針
３：医療器具のチューブ
４：体表
１０、１０Ａ、１０Ｂ：検出システム
１１：装着手段
１２：センサユニット
１３：磁気センサ
１４：通信手段
１５：ハウジング
１６：粘着シート
２０、２０Ａ、２０Ｂ：磁気シート
２１：ベース
２１ａ：ベースの一方の面
２１ｂ：ベースの他方の面
２２：永久磁石
２３：粘着層
２５：粘着層
２６：磁性粉末
３２：センサ管理ノード
３２ａ：ディスプレイ
３２ｂ：センサユニットの名前
３２ｃ：磁気強度
３２ｄ：閾値の判定値
３２ｅ，３４ｅ：伝送メッセージ
３４：監視用端末
３４ａ：ディスプレイ
３６：第１の通信回線
３８：第２の通信回線
【図１】
2017159035.tif 000003
【図２】
2017159035.tif 000004
【図３】
2017159035.tif 000005
【図４】
2017159035.tif 000006
【図５】
2017159035.tif 000007
【図６】
2017159035.tif 000008
【図７】
2017159035.tif 000009
【図８】
2017159035.tif 000010
【図９】
2017159035.tif 000011
【図１０】
2017159035.tif 000012